(57)【要約】【課題】ＭＰＥＧ２などデジタル記録された映像データを編集するとき等、デジタル映像データをデコードして映像を視聴することになるが、再生側の機器を再生一時停止状態にしたまま、別の機器やデジタル・チューナに入力を切り替え、その後、再生側の機器に入力を戻したとき、ＴＶ画面にデコード映像を表示させることができず、編集作業が困難である。【解決手段】従来の入力切換装置に映像メモリ５から出力されるデコード映像を保存するＮ個の領域で構成される保存用メモリ６と、前記映像メモリ５と前記保存用メモリ６とを接続するスイッチ７と、Ｎ台の映像データ送信装置と前記保存用メモリ６が内蔵するＮ個の領域とを一対一で対応づけ、かつ外部デジタル・インタフェイス２から映像データ送信装置１の再生状態を受信し、スイッチ７を制御する制御部とを備えた構成とした。【選択図】図１
2006041585.tif 000002
【特許請求の範囲】
【請求項１】
再生状態ではデジタル映像データを送信する一方、再生一時停止状態ではデジタル映像データを送信しない映像データ送信装置とデジタル・インタフェイスを介して接続するデジタル映像再生装置に用い、複数の映像データ送信装置から出力される映像データの中から一つを選択し、その映像データをデコードしてモニター等への出力映像を切り換える入力切換装置であって、映像データ送信装置が再生一時停止する際に直前のデコード映像を保存する映像データ送信装置毎の映像保存用メモリと、前記映像保存用メモリのいずれか一つを選択するスイッチと、映像データ送信装置の状態を監視し前記スイッチを制御する制御装置とを具備し、ある映像データ送信装置から別の映像データ送信装置に入力を切り換え、再び元の映像データ送信装置に入力を切り換えた際に、その映像データ送信装置が一時停止状態であれば、前記メモリに保存したデコード映像を出力するようにしたことを特徴とする入力切換装置。
【発明の詳細な説明】
【技術分野】
【０００１】
本発明は、デジタル入力の映像を保存するメモリと録再機器の状態検出機能を有した入力切換装置に関するものである。
【背景技術】
【０００２】
従来、ＴＶへアナログ信号を送出するアナログ録再機器が公知である（例えば、特許文献１参照）。
【０００３】
従来のアナログ録再機器からＴＶへアナログ信号を送出する場合は、再生一時停止状態であっても映像信号を出力し続けているため、ＴＶに映像を表示することが出来たが、Ｄ−ＶＨＳやＢｌｕ−ｒａｙディスクレコーダなどのデジタル録再機器からデジタルＴＶへデジタルＡＶデータを送受信する場合は、再生、早送り再生、巻き戻し再生など記録メディアからデジタル映像データを読み取っている場合に限られ、読み取りができない再生一時停止、停止、早送り、巻き戻しなどの状態ではＴＶに映像を表示することが出来ない。
【特許文献１】特開昭５６−４０３７０号公報
【発明の開示】
【発明が解決しようとする課題】
【０００４】
そのため、ビデオ編集などの目的で、一旦、デジタル入力を他のデジタル録再機器やＴＶ内部のデジタル・チューナに切り換えた場合、メモリ上にある映像データが置き換えられてしまうため、再び元のデジタル録再機器に切り換えたときには元もと視聴していたデジタル録再機器の映像が表示されないという欠点があった。
【０００５】
つまり、デジタル録再機器が出力する映像データやインターネット配信された映像データなど、デジタル絵像データをデコードしたデコード映像をＴＶで視聴する際に、機器を再生一時停止状態にして入力を切り替え、再びその再生機器に入力を切り換えてもＴＶ画面にデコード映像が表示されないという問題があった。
【課題を解決するための手段】
【０００６】
上記課題を解決するために、本発明ではデジタル接続した機器毎に映像データのデコード映像を保存する映像保存用メモリと、前記映像保存用メモリのうちいずれか一つを選択するスイッチと、映像データ送信装置の状態を監視し前記スイッチを制御する制御装置とを具備し、ある映像データ送信装置から別の映像データ送信装置に入力を切り換え、再び元の映像データ送信装置に入力を切り換えた際に、その映像データ送信装置が一時停止状態でデジタル映像データを出力していなければ、前記メモリに保存したデコード映像を出力するようにしたことで、ある映像データ送信装置から別の映像データ送信装置に入力を切り換え、再び元の映像データ送信装置に入力を切り換えた際に、映像データ送信装置の状態を検出し、一時停止状態であれば、前記メモリに保存したデコード映像を出力することを可能にしたものである。
【発明の効果】
【０００７】
以上のように本発明の入力切換装置によれば、デジタルＴＶに接続し視聴しているデジタル録再機器が再生一時停止状態に変わったときに最後の映像を映像保存用メモリに保存しておき、デジタルＴＶのデジタル入力を他のデジタル録再機器やＴＶ内蔵のデジタル・チューナに切り換え、再び元のデジタル録再機器に入力が切り替わった場合、映像保存用メモリに保存しておいた映像を読み出し、ＴＶ画面に映像を表示することができる。
【発明を実施するための最良の形態】
【０００８】
（実施の形態１）
図１は、本発明の実施の形態１による入力切換装置の構成を示すブロック図である。以下、図１を用いて上記入力切換装置の構成を説明する。
【０００９】
１はデジタル映像データを送信する１台以上の映像データ送信装置のｎ番目の映像データ送信装置、２は映像データ送信装置１から送信されるデジタル映像データを受信する外部デジタル・インタフェイス、４はデジタル映像データをデコードするデジタル信号デコード部、３は外部デジタル・インタフェイス２とデジタル信号デコード部４とを接続するスイッチ、５はデジタル信号デコード部４がデジタル映像データをデコードする際に一時的にデコード映像を展開し映像を出力する映像メモリ、６は前記映像メモリ５から出力されるデコード映像を保存するＮ個の領域で構成される保存用メモリ、７は前記映像メモリ５と前記保存用メモリ６とを接続するスイッチ、８は前記映像データ送信装置１を含むＮ台の映像データ送信装置と前記保存用メモリ６が内蔵するＮ個の領域とを一対一で対応づけ、かつ外部デジタル・インタフェイス２から映像データ送信装置１の再生状態を受信し、スイッチ７を制御する制御部、９はデジタル放送を受信するデジタル・チューナ部である。
【００１０】
映像データ送信装置ｎから出力される映像を視聴している間に、制御部８が映像データ送信装置ｎの再生状態が再生一時停止状態に遷移したことを外部デジタル・インタフェイス２から通知されると、制御部８はスイッチ７を保存用メモリ６のｎ番目の領域に接続し、映像メモリ５のデコード映像を保存用メモリ６のｎ番目の領域に保存する（ステップ１）。
【００１１】
この状態でデジタル信号デコード部４が映像データ送信装置ｎ以外の映像データ送信装置又はデジタル・チューナ部９に接続先が切り換えられ、映像データ送信装置ｎ以外の映像データをデコードすると映像メモリ５から映像データ送信装置ｎのデコード映像は消去され、映像データ送信装置ｎ以外の映像データのデコードに使用する（ステップ２）。
【００１２】
その後、再びデジタル信号デコード部４が映像データ送信装置ｎの映像データ送信装置と映像データ送信装置が接続されたとき、制御部８は映像データ送信装置ｎが再生一時停止状態であれば、スイッチ７を保存用メモリ６のｎ番目の領域に接続し、保存用メモリ６のｎ番目の領域に保存したデコード映像を映像メモリ５にコピーすることでステップ２において消失したデコード映像を復元させる（ステップ３）。
【００１３】
なお、ネットワーク上の映像データ送信装置の総数はＮ台以上とする。
【産業上の利用可能性】
【００１４】
本発明の入力切換装置によれば、デジタルＴＶに接続し視聴しているデジタル録再機器が再生一時停止状態に変わったときに最後の映像を映像保存用メモリに保存しておき、デジタルＴＶのデジタル入力を他のデジタル録再機器やＴＶ内蔵のデジタル・チューナに切り換え、再び元のデジタル録再機器に入力が切り替わった場合、映像保存用メモリに保存しておいた映像を読み出し、ＴＶ画面に映像を表示することができるため、デジタル放送を受信可能なＡＶ機器に有用である。
【図面の簡単な説明】
【００１５】
【図１】本発明の実施の形態１に係る入力切換装置を示した説明図
【図２】本発明を使用しない従来の実装方法の説明図
【符号の説明】
【００１６】
１    映像データ送信装置ｎ
２    外部デジタル・インタフェイス
３    スイッチ
４    デジタル信号デコード部
５    映像メモリ
６    保存用メモリ
７    スイッチ
８    制御部
９    デジタル・チューナ部
【図１】
2006041585.tif 000003
【図２】
2006041585.tif 000004